(57)【要約】【課題】フレアの発生を防止しながら明視野観察及び暗視野観察に使用可能な顕微鏡用対物レンズ、顕微鏡を提供する。【解決手段】レンズ系１１と、レンズ系１１を支持する内筒１２と、内筒１２の外周を包囲して照明用光路Ｌを形成する外筒１５と、照明用光路Ｌを遮蔽可能な遮蔽機構Ｍと、を有することを特徴とする顕微鏡用対物レンズ１。【選択図】図２
2009288329.tif 000002
【特許請求の範囲】
【請求項１】
レンズ系と、
前記レンズ系を支持する内筒と、
前記内筒の外周を包囲して照明用光路を形成する外筒と、
前記照明用光路を遮蔽可能な遮蔽機構と、
を有することを特徴とする顕微鏡用対物レンズ。
【請求項２】
前記外筒は、第１外筒と、前記第１外筒に対して前記レンズ系の光軸方向へ移動可能に接続された第２外筒とからなり、
前記遮蔽機構は、前記第２外筒を含み、
前記第２外筒の先端には、内側へ向かって突出した突出部が形成されており、
前記第２外筒を移動させて前記突出部を前記内筒に当接させることで前記照明用光路を遮蔽するように構成していることを特徴とする請求項１に記載の顕微鏡用対物レンズ。
【請求項３】
前記外筒は、第１外筒と、前記第１外筒に対して前記レンズ系の光軸を中心に回動可能に接続された第２外筒とからなり、
前記遮蔽機構は、前記第２外筒を含み、
前記内筒の外周には、開口が形成された外縁部が備えられており、
前記第２外筒の内周には、前記外縁部の開口と合致して前記照明用光路を確保する開口が形成された内縁部が備えられており、
前記第２外筒を回動させて前記外縁部の開口と前記内縁部の開口とをずらすことで前記照明用光路を遮蔽するように構成していることを特徴とする請求項１に記載の顕微鏡用対物レンズ。
【請求項４】
請求項１から請求項３のいずれか一項に記載の顕微鏡用対物レンズを備えたことを特徴とする顕微鏡。
【発明の詳細な説明】
【技術分野】
【０００１】
本発明は、顕微鏡用対物レンズ、顕微鏡に関する。
【背景技術】
【０００２】
一般に、金属等の暗視野観察に用いられる顕微鏡用対物レンズには、レンズの周りを囲むように暗視野照明用の光路が形成されている（例えば、特許文献１を参照。）。
【特許文献１】特許第３０８０３９３号公報
【発明の開示】
【発明が解決しようとする課題】
【０００３】
しかしながら、暗視野観察に用いられる従来の顕微鏡用対物レンズを明視野観察に用いようとすれば、暗視野照明用の光路へ進入した光が観察光路へ達してフレアの発生を招くという問題があった。
そこで本発明は上記問題点に鑑みてなされたものであり、フレアの発生を防止しながら明視野観察及び暗視野観察に使用可能な顕微鏡用対物レンズ、顕微鏡を提供することを目的とする。
【課題を解決するための手段】
【０００４】
上記課題を解決するために本発明は、
レンズ系と、
前記レンズ系を支持する内筒と、
前記内筒の外周を包囲して照明用光路を形成する外筒と、
前記照明用光路を遮蔽可能な遮蔽機構と、
を有することを特徴とする顕微鏡用対物レンズを提供する。
【発明の効果】
【０００５】
本発明によれば、フレアの発生を防止しながら明視野観察及び暗視野観察に使用可能な顕微鏡用対物レンズ、顕微鏡を提供することができる。
【発明を実施するための最良の形態】
【０００６】
以下、添付図面に基づいて本発明の各実施形態に係る顕微鏡用対物レンズを備えた顕微鏡を説明する。
（第１実施形態）
図１は、本発明の第１実施形態に係る顕微鏡用対物レンズを備えた顕微鏡の構成を示す図である。また、図２は、本発明の第１実施形態に係る顕微鏡用対物レンズの構成を示す断面図（（ａ）は暗視野観察時の断面図、（ｂ）は明視野観察時の断面図、（ｃ）は矢視断面図）である。
図１に示すように、本実施形態に係る顕微鏡用対物レンズ１を備えた顕微鏡２は、顕微鏡本体３と、試料４を載置するステージ５と、照明装置６と、接眼レンズ７とを有してなり、顕微鏡用対物レンズ１はレボルバ８を介して顕微鏡本体３に取り付けられておりステージ５の真下に位置している。
【０００７】
顕微鏡本体３は、ハーフミラーを備えた明視野キューブ９と、中心部に円形開口が形成されたミラー（以下、「中空ミラー」と称する。）とレンズを備えた暗視野キューブ１０とを光路内へ選択的に挿脱可能に備えている。なお、顕微鏡本体３内には、光路内に配置された明視野キューブ９又は暗視野キューブ１０からの光を接眼レンズ７へ導く不図示の光学系も備えられている。
【０００８】
顕微鏡用対物レンズ１は、図２に示すようにレンズ系１１と、レンズ系１１を支持する円筒状のレンズ支持枠１２と、レンズ支持枠１２の外周を包囲して照明用光路（暗視野照明用光路）Ｌを形成する同心かつ大径で円筒状のレンズ鏡筒１３と、前記照明用光路Ｌを遮蔽可能な遮蔽機構Ｍとを有してなる。
レンズ鏡筒１３は、レボルバ８に装着するための装着部１４が形成された第１鏡筒１５と、先端に内側へ向かって突出した突出部（本実施形態では、内側へ向かって傾斜した傾斜部１６）が形成された第２鏡筒１７とからなる。そして第１鏡筒１５と第２鏡筒１７は、公知のスライド機構１８を介して接続されており、これによって第２鏡筒１７は光軸方向への繰り出し及び繰り込みが可能となる。なお、本実施形態においてスライド機構１８には、第２鏡筒１７の繰り出し状態及び繰り込み状態を維持するための公知のクリックストップ機構も含まれる。また、第２鏡筒１７の傾斜部１６の内側面にはミラー１９が備えられている。なお、第１鏡筒１５と第２鏡筒１７の接続は、スライド機構１８に限られず、第２鏡筒１７の繰り出し及び繰り込みを可能とするその他の手段（例えば、公知のねじ機構等）で行うこともできる。
【０００９】
レンズ支持枠１２は、その外側面に径方向外向きの外側フリンジ１２ａが全周にわたって形成されており、この外側フリンジ１２ａは第１鏡筒１５の内側面と固定されている。また外側フリンジ１２ａには、図２（ａ）及び図２（ｃ）に示すように円周方向へ延在しかつ光軸方向へ貫通した開口２０が３つ形成されている。
以上、本実施形態では、上記構成の第２鏡筒１７及びレンズ支持枠１２が遮蔽機構Ｍを構成しており、第２鏡筒１８の繰り出し状態において照明用光路Ｌを確保し、かつ繰り込み状態においては第２鏡筒１８の傾斜部１６の先端とレンズ支持枠１２の先端が全周にわたって当接して光の進入を防ぐ、即ち照明用光路Ｌを遮蔽することができる。
【００１０】
ここで、上記構成の本実施形態に係る顕微鏡用対物レンズ１を備えた顕微鏡２で行われる試料４の明視野観察及び暗視野観察について説明する。
本顕微鏡２を用いて明視野観察を行う場合、予め観察者は、明視野キューブ９を光路内へ配置し、顕微鏡用対物レンズ１の第２鏡筒１７を図２（ｂ）に示すように繰り込み、照明用光路Ｌを遮蔽しておく。
斯かる前提の下、照明装置６からの照明光は、明視野キューブ９内のハーフミラーで反射され、顕微鏡用対物レンズ１のレンズ系１１を介してステージ５上の試料４に照射される。なお、前記ハーフミラーで反射された照明光の一部は、顕微鏡用対物レンズ１における照明用光路Ｌにも進行するが、当該照明用光路Ｌは第２鏡筒１７の傾斜部１６で遮蔽されているため試料４まで達することはない。
【００１１】
そして、照明された試料４からの観察光は、再び顕微鏡用対物レンズ１のレンズ系１１を経て、明視野キューブ９内のハーフミラーを透過し、さらに顕微鏡本体３内の不図示の光学系によって接眼レンズ７へ導かれる。これにより観察者は、接眼レンズ７を介して試料４の像を双眼で観察することができる。
このようにして本顕微鏡２では試料４の明視野観察が可能となる。そして本顕微鏡２では、顕微鏡用対物レンズ１の照明用光路Ｌは先端部分において遮蔽されているため、試料４からの迷光が当該照明用光路Ｌへ進入することを防ぐことができ、フレアの発生を効果的に防止することができる。
【００１２】
本顕微鏡２を用いて暗視野観察を行う場合、予め観察者は、暗視野キューブ１０を光路内へ配置し、顕微鏡用対物レンズ１の第２鏡筒１７を図２（ａ）に示すように繰り出し、照明用光路Ｌを確保しておく。
斯かる前提の下、照明装置６からの照明光は、暗視野キューブ１０内のレンズを経て中空ミラーで反射されることによってリング状の光束となり、顕微鏡用対物レンズ１の照明用光路Ｌへ入射する。この照明光は当該照明用光路Ｌを進行して第２鏡筒１７のミラー１９で反射され、ステージ５上の試料４に照射される。
【００１３】
そして、照明された試料４からの観察光は、顕微鏡用対物レンズ１のレンズ系１１を経て、暗視野キューブ１０内の中空ミラーの開口を通過し、さらに顕微鏡本体２内の不図示の光学系によって接眼レンズ７へ導かれる。これにより観察者は、接眼レンズ７を介して試料４の像を双眼で観察することができ、このようにして本顕微鏡２では試料４の暗視野観察が可能となる。
以上、本実施形態によれば、フレアの発生を防止しながら明視野観察及び暗視野観察に使用可能な顕微鏡用対物レンズ１を備えた顕微鏡２を実現することができる。
【００１４】
（第２実施形態）
以下、本実施形態に係る顕微鏡用対物レンズを備えた顕微鏡について、上記第１実施形態と同様の部分については同じ符号を付して説明を省略し、異なる部分について詳細に説明する。なお、本顕微鏡の全体的な構成は上記第１実施形態と同様であるため図１を参照する。
図３は、本発明の第２実施形態に係る顕微鏡用対物レンズの構成を示す断面図（（ａ）は暗視野観察時の断面図、（ｂ）は暗視野観察時の矢視断面図、（ｃ）は明視野観察時の矢視断面図）である。
【００１５】
図３に示すように本実施形態に係る顕微鏡用対物レンズ２５において、第１鏡筒１５と第２鏡筒１７は公知の回動機構２６を介して接続されており、これによって第２鏡筒１７は第１鏡筒１５に対して光軸を中心に回動させることが可能となる。なお、この回動機構２６には、第２鏡筒１７の位置を固定するための公知のクリックストップ機構も含まれている。また、第１鏡筒１５と第２鏡筒１７の接続は、回動機構２６に限られず、第２鏡筒１７を光軸を中心に回動可能とするその他の手段（例えば、公知のねじ機構等）で行うこともできる。
また、レンズ支持枠１２の外側フリンジ１２ａには、図３（ｂ）及び図３（ｃ）に示すように光軸方向へ貫通した開口２０が該開口２０の長さ以上の間隔をもって均等に６つ形成されている。
さらに、第２鏡筒１７の内側面には、レンズ支持枠１２の外側フリンジ１２ａと当接する板状で径方向内向きの内側フリンジ１７ａが全周にわたって一体的に形成されており、この内側フリンジ１７ａにはレンズ支持枠１２の外側フリンジ１２ａの開口２０と同形状の開口２８が均等な間隔で６つ形成されている。なお、内側フリンジ１７ａはレンズ支持枠１２の外側面に対しても回動可能に当接している。
【００１６】
以上、本実施形態では、上記構成の第２鏡筒１７及びレンズ支持枠１２が遮蔽機構Ｍを構成しており、第２鏡筒１７を回動させることで内側フリンジ１７ａも一体的に回動し、図３（ｂ）に示すように当該内側フリンジ１７ａの開口２８をレンズ支持枠１２の外側フリンジ１２ａの開口２０に合致させることができ、これによって照明用光路Ｌが確保されることとなる。また、各開口２０，２８が合致した状態から第２鏡筒１７をさらに回動させることで図３（ｃ）に示すようにレンズ支持枠１２の外側フリンジ１２ａの開口２０を内側フリンジ１７ａで完全に塞ぐことができ、これによって照明用光路Ｌが遮蔽されることとなる。
【００１７】
ここで、上記構成の本実施形態に係る顕微鏡用対物レンズ２５を備えた顕微鏡２で行われる試料４の明視野観察及び暗視野観察について説明する。
本顕微鏡２を用いて明視野観察を行う場合には、予め観察者が明視野キューブ９を光路内へ配置し、顕微鏡用対物レンズ２５の第２鏡筒１７を回動させて図３（ｃ）に示すように照明用光路Ｌを遮蔽しておくことで、上記第１実施形態と同様に試料４の明視野観察が可能となる。また、本顕微鏡２では、顕微鏡用対物レンズ２５の照明用光路Ｌは第２鏡筒１７の内側フリンジ１７ａによって遮蔽されているため、試料４からの迷光等が当該照明用光路Ｌを進行することを防ぐことができ、フレアの発生を効果的に防止することができる。
【００１８】
また、本顕微鏡２を用いて暗視野観察を行う場合には、予め観察者が暗視野キューブ１０を光路内へ配置し、顕微鏡用対物レンズ２５の第２鏡筒１７を回動させて図３（ｂ）に示すように照明用光路Ｌを確保しておくことで、上記第１実施形態と同様に試料４の暗視野観察が可能となる。
以上、本実施形態によれば、上記第１実施形態と同様に、フレアの発生を防止しながら明視野観察及び暗視野観察に使用可能な顕微鏡用対物レンズ２５、顕微鏡２を実現することができる。
【図面の簡単な説明】
【００１９】
【図１】本発明の第１実施形態に係る顕微鏡用対物レンズを備えた顕微鏡の構成を示す図である。
【図２】本発明の第１実施形態に係る顕微鏡用対物レンズの構成を示す断面図（（ａ）は暗視野観察時の断面図、（ｂ）は明視野観察時の断面図、（ｃ）は矢視断面図）である。
【図３】本発明の第２実施形態に係る顕微鏡用対物レンズの構成を示す断面図（（ａ）は暗視野観察時の断面図、（ｂ）は暗視野観察時の矢視断面図、（ｃ）は明視野観察時の矢視断面図）である。
【符号の説明】
【００２０】
１，２５    顕微鏡用対物レンズ
２          顕微鏡
１１        レンズ系
１２        レンズ支持枠
１２ａ      外側フリンジ
１３        レンズ鏡筒
１５        第１鏡筒
１７        第２鏡筒
１７ａ      内側フリンジ
Ｌ          照明用光路
Ｍ          遮蔽機構
【図１】
2009288329.tif 000003
【図２】
2009288329.tif 000004
【図３】
2009288329.tif 000005